(57)【特許請求の範囲】
【請求項１】
カード基材の一部に断面が凹状の穴を設け、少なくとも一部分に透明窓部を有するケースに宝石が収納された宝石入りケースを、前記穴部に嵌合して接着固定した前記透明窓部より宝石が見え、かつ前記宝石入りケースの少なくとも底部の一部に反射層を設けたことを特徴とするカード。
【請求項２】
前記宝石入りケースの高さ（厚み）が０．８０ｍｍ以下であることを特徴とする請求項１に記載のカード。
【請求項３】
前記宝石が、可視光線、紫外線、赤外線の下でそれぞれ異なる色相の発光または発色を示すことを特徴とする請求項１〜２のいずれか１項に記載のカード。
【発明の詳細な説明】
【技術分野】
【０００１】
本発明は、カード基材の一部に設けた穴部に透明窓部を有する宝石入りケースを嵌合して接着固定した透明窓部より宝石が見える、装飾性に優れる付加価値の高いカードに係わり、特に宝石店等のメンバーズカードおよびクレジットカードとして好適に使用できるカードに関するものである。
【背景技術】
【０００２】
従来より、装飾効果のあるカードとしてプラスチック樹脂中もしくはカード表面に様々な顔料を混入したものが提案されている。例えば、プラスチック樹脂中に蛍光顔料を混入することでブラックライトを照射すると発光するもの、また、蓄光顔料を混入することで発光するもの、パール顔料を混入することでパール光沢の絵柄模様を有するもの等がある（例えば、特許文献１参照）。
【０００３】
さらに、プラスチック表面加工により装飾性を高め、同時に可逆的に色変化が起こるものおよびプラスチック表面をエンボス加工することで見る角度によって異なった色に見える玉虫色のプラスチックシートがある（例えば、特許文献２参照）。
【０００４】
一方、カードの中に宝石を入れる技術として、プラスチックシート基材の一部に孔を開け、その中に純金や宝石を入れ、前記プラスチックシートの表裏にそれぞれ透明なーオーバーシートを設けて形成されるカードがある（例えば、特許文献３、４参照）。また、カード状支持シートの表面に圧入凹部を形成し、前記凹部に宝石を接着固定しているカードがある（例えば、特許文献５参照）。
【０００５】
下記に特許文献を記す。
【特許文献１】特開平６−６４０３２号公報
【特許文献２】特開平８−２１６２５０号公報
【特許文献３】実公平７−４６５５０号公報
【特許文献４】特開平８−３４１８２号公報
【特許文献５】実開平６−７２４０８号公報
【発明の開示】
【発明が解決しようとする課題】
【０００６】
本発明は、上記の技術的背景を考慮してなされたものであって、特に宝石店等のメンバーズカードおよびクレジットカードとして好適に使用できる、装飾性に優れる付加価値の高いカードを提供することを目的とするものである。
【０００７】
請求項１の発明は、カード基材の一部に断面が凹状の穴を設け、少なくとも一部分に透明窓部を有するケースに宝石が収納された宝石入りケースを、前記穴部に嵌合して接着固定した前記透明窓部より宝石が見え、かつ前記宝石入りケースの少なくとも底部の一部に反射層を設けたことを特徴とするカードである。
【０００８】
請求項２に記載の発明は、前記宝石入りケースの高さ（厚み）が０．８０ｍｍ以下であ
ることを特徴とする請求項１に記載のカードである。
【００１０】
請求項３の発明は、前記宝石が、可視光線、紫外線、赤外線の下でそれぞれ異なる色相の発光または発色を示すことを特徴とする請求項１〜２のいずれか１項に記載のカードである。
【発明の効果】
【００１１】
本発明によれば、カード基材の一部に設けた穴部に透明窓部を有する宝石入りケースを嵌合して接着固定した透明窓より宝石が見える、装飾性に優れる付加価値の高いカードが得られる。また、上記の宝石入りのケースの高さ（厚み）を０．８ｍｍ以下にすることで、クレジットカードの仕様を満足出来るカードの作製が可能になり、市場拡大が見込まれる。また、上記の宝石入りケースの宝石が見えている部分のケース底部内面などに反射層を設けることで宝石の輝度が向上し、装飾性が一層向上する。さらに、本発明においてカードの大きさよりも小さいケースの中に宝石を収納することより、小さい宝石の取り扱いに対して狭い空間で作業ができることから、高価な宝石の紛失防止につながる。さらに、上記の宝石入りケースをＩＣカードに採用されているＩＣチップと同じような形状にすることで、製造ラインの使い回しが可能となり、高品質で安定したカードを製造することが可能になる。
【発明を実施するための最良の形態】
【００１２】
以下、本発明の一実施形態について図面を参照して詳細に説明する。図１は、本発明のカードを構成する宝石入りケースの一例を示す平面図である。図２は、図１に示した宝石入りケースのＸ−Ｘ方向の断面図である。図３は、本発明のカードの一例を示す平面図である。図４は、図３に示したカードのＹ−Ｙ方向の断面図である。図５は、本発明のカードを構成する宝石入りケースの他の例を示す平面図である。図６は、図５に示した宝石入りケースのＸ−Ｘ方向の断面図である。
【００１３】
図１および図２の宝石入りケース１は、透明窓部１３があるケース１２中に宝石１１が１個ないし数個入った構成からなるものである。ザグリ法によりカード基材に設けた断面が凹状の穴部２４の底に接着層２５を設け、この宝石入りケース１をカード２中に嵌合して接着固定して図３および図４に示した宝石入りカード２を形成する。また、図５および図６の宝石入りケース３は、透明窓部３３があるケース３２に宝石３１が１個ないし数個入った構成で、さらに宝石入りケース３の底部内面の一部ないし全部に反射層３６を設けた構成である。この反射層を設けることで、より宝石３１の輝度感が向上する。
【００１４】
上記の宝石１１および３１として、特開２００５−３５８７１号公報に記載されているＲＶＯ4なる化学式で示され、前記Ｒが、Ｓｃ、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕから選ばれる少なくとも１種類の希土類元素からなる単結晶を使用することができる。
【００１５】
上記の希土類元素からなる単結晶からなる宝石１１および３１を使用することにより、宝石１１および３１が可視光線、紫外線、赤外線の下でそれぞれ異なる色相の発光または発色を示すので、カードの偽造防止効果を奏する。
【００１６】
上記の宝石１１および３１は、ケース１２の内側の高さよりも低くなくてはならない。そのため宝石１１および３１の径を小さくするか、径をそのままにして、ケース１２の内側の高さに合わせて宝石の下部を削る必要がある。しかしながら、宝石の輝度を保持する
ためには薄くすることはあまり好ましくないが、径が小さい宝石もあまり装飾性が向上しないことから、宝石１１および３１の直径は１〜５ｍｍ程度が望ましい。また、宝石入りケースの高さ（厚み）が０．８０ｍｍ以下とするのが望ましい。
【００１７】
ケース１２、３２を構成する材料としては、宝石１１、３１を外側から視認できる透明窓部１３、３３が設けられているものであれば特に限定されるものではないが、宝石入りカード２を形成する上で、若干の柔軟性があることがあることが望ましい。そのためケース１２、３２の成形には、インジェクション方式が望ましい。さらに、クレジットカードの仕様を満たすためには、窓部および底部の厚みを出来るだけ薄くする必要があるため、窓部に透明延伸フィルムを使用したフィルムインサート方式のインジェクションによって成形するのが望ましい。
【００１８】
上記で作製したケース１２、３２に宝石１１、３１を収納し、宝石入りケースの透明窓部１３、３３の反対側のケース底部をアルミニウム蒸着フィルム等を使用して密封し、宝石入りケース１、３を得る。このように、宝石入りケースの底部にアルミニウム反射層を設けることで、宝石の輝度が向上し、装飾性が一層向上する。
【００１９】
以下、本発明の具体的な実施例を挙げて説明する。
【実施例１】
【００２０】
透明エポキシ系樹脂をインジェクション方式にて厚さ０．７８ｍｍ、内側の厚さ０．５８ｍｍの透明薄型ケースを作製し、直径２ｍｍのブリリアントカットされた宝石を厚さ０．５４ｍｍに削り、ケースに収納し、厚み２０μｍのアルミニウム蒸着ポリエチレンテレフタレート（ＰＥＴ）フィルムを使用して接着剤で密封し、透明窓以外の部分に絵柄印刷を施して、宝石入りケースを作製した。
【００２１】
次に、ＩＳＯ仕様のカード（長辺８５．６０ｍｍ、短辺５３．９８ｍｍ、厚さ０．８４ｍｍ）の一部にザグリ法にて深さ０．８０ｍｍの断面が凹状の穴部を形成し、その穴部の底に接着剤を塗工し、上記の宝石入りケースを穴部に嵌合して接着固定して本発明のカードを得た。
【００２２】
上記で得られた本発明のカードは、ＩＳＯ仕様に準拠して作製されたものであるから、、クレジットカードとして使用することが出来、さらに、カードの一部に埋められた宝石はケースの中で動くことが出来、装飾性に優れるより付加価値の高いカードを提供できる。
【図面の簡単な説明】
【００２３】
【図１】本発明のカードを構成する宝石入りケースの一例を示す平面図である。
【図２】図１に示した宝石入りケースのＸ−Ｘ方向の断面図である。
【図３】本発明のカードの一例を示す平面図である。
【図４】図３に示したカードのＹ−Ｙ方向の断面図である。
【図５】本発明のカードを構成する宝石入りケースの他の例を示す平面図である。
【図６】図５に示した宝石入りケースのＸ−Ｘ方向の断面図である。
【符号の説明】
【００２４】
１、３・・・宝石入りケース
２・・・宝石入りカード
１１、３１・・・宝石
２１・・・カード
１２、３２・・・ケース
１３、３３・・・透明窓部分
２４・・・ザグリ部
２５・・・接着層
３６・・・反射層
【図１】
0004715348.tif 000002
【図２】
0004715348.tif 000003
【図３】
0004715348.tif 000004
【図４】
0004715348.tif 000005
【図５】
0004715348.tif 000006
【図６】
0004715348.tif 000007